(57)【要約】【課題】複数枚の非接触ＩＣカードを収納した状態で、ユーザが任意の一枚の非接触ＩＣカードを選択し実行させることのできる収納ケースを提供する。【解決手段】本発明に係る収納ケース１には、内部空間を２つに区分する仕切り２によって、非接触ＩＣカードを収納する２つの収納部３が形成されている。仕切り２の両側には、電磁波を反射する電磁波反射材２ａが配設されている。左側（右側）の収納部３では、左側（右側）からの電磁波は遮断されないが、右側（左側）には電磁波反射材２ａが存在するため、右側（左側）からの電磁波は遮断される。よって、ユーザは収納ケース１の向きを変えて利用することで、ユーザが任意の一枚の非接触ＩＣカードを選択し利用することができる。【選択図】図３
2008065564.tif 000002
【特許請求の範囲】
【請求項１】
非接触でデータ通信する機能を備えた非接触ＩＣカードを収納するための収納ケースであって、前記収納ケースは、一枚の前記非接触ＩＣカードを収納する収納部を少なくとも２つ備え、前記収納部は、収納された前記非接触ＩＣカードの一方向から電磁波を反射する電磁波反射材を備えていることを特徴とする収納ケース。
【請求項２】
請求項１に記載の収納ケースであって、前記収納ケースは、仕切りによって形成される２つの前記収納部を備え、前記仕切りの両面に前記電磁波反射材が配設られていることを特徴とする収納ケース。
【請求項３】
請求項１に記載の収納ケースであって、前記収納ケースは、請求項２に記載の前記仕切りによって形成される２つの前記収納部からなる収納部対を２対備え、２対の前記収納部対は前記収納ケース全体を二つ折り可能なように連結されていることを特徴とする収納ケース。
【発明の詳細な説明】
【技術分野】
【０００１】
本発明は、非接触ＩＣカードを収納して利用するための収納ケースに関する。
【背景技術】
【０００２】
定期券や社員証などのＩＣカード化が進むにつれ、個人が複数枚の非接触ＩＣカードを所持するようになった。個人が複数枚の非接触ＩＣカードを所持するとき、それぞれの非接触ＩＣカードを個別の収納ケースに収納することは少なく、一つの収納ケースに複数枚の非接触ＩＣカードを収納するケースが多い。
【０００３】
例えば、定期券入れには、非接触ＩＣカードである定期券と共に、非接触ＩＣカードである社員証が収納される。このように複数枚の非接触ＩＣカードを一つの収納ケースに収納した場合、ユーザが利用したい非接触ＩＣカード以外の非接触ＩＣカードが動作してしまい、ユーザが利用したい非接触ＩＣカードが動作しないケースがあるため、複数枚のＩＣカードを収納ケースに収納した状態で、ユーザが利用したい非接触ＩＣカードを選択し利用できることが望まれる。
【０００４】
収納ケースに非接触ＩＣカードを収納したときに、非接触ＩＣカードを動作しないようにする発明としては、非接触ＩＣカードを電磁波シールドで覆うようにすることで、収納ケースに収納されている状態では、非接触ＩＣカードが動作することがない収納ケースが開示されている（例えば、特許文献１、２）。
【０００５】
しなしながら、上述した発明は、非接触ＩＣカードに記憶された情報の漏洩防止を目的とした発明であって、複数枚の非接触ＩＣカードを収納ケースに収納した状態で、非接触ＩＣカードを利用することはできない。
【０００６】
例えば、定期入れに上述した発明を適用した場合、定期券と社員証の２枚を収納すると、定期券及び社員証共に利用することはできなくなってしまう。
【特許文献１】特開２００１−２５６４５０号公報
【特許文献２】実用新案登録第３１１１０３３号公報
【発明の開示】
【発明が解決しようとする課題】
【０００７】
そこで本発明は、複数枚の非接触ＩＣカードを収納した状態で、ユーザが任意の一枚の非接触ＩＣカードを選択し利用することができる収納ケースを提供することを目的とする。
【課題を解決するための手段】
【０００８】
上述した課題を解決する第１の発明は、非接触でデータ通信する機能を備えた非接触ＩＣカードを収納するための収納ケースであって、前記収納ケースは、一枚の前記非接触ＩＣカードを収納する収納部を少なくとも２つ備え、前記収納部は、収納された前記非接触ＩＣカードの一方向から電磁波を反射する電磁波反射材を備えていることを特徴とする。
【０００９】
第２の発明は、第１の発明に記載の収納ケースであって、前記収納ケースは、仕切りによって形成される２つの前記収納部を備え、前記仕切りの両面に前記電磁波反射材が配設られていることを特徴とする。
【００１０】
第３の発明は、第１の発明に記載の収納ケースであって、前記収納ケースは、第２の発明に記載の前記仕切りによって形成される２つの前記収納部からなる収納部対を２対備え、２対の前記収納部対は前記収納ケース全体を二つ折り可能なように連結されていることを特徴とする。
【００１１】
なお、本発明において非接触ＩＣカードには、接触と非接触の両方でデータ通信可能なデュアルインターフェースＩＣカードや、ＩＣタグも含まれる。
【発明の効果】
【００１２】
上述した本発明に係る収納ケースの収納部に複数枚の非接触ＩＣカードを収納した状態で、ユーザが、非接触ＩＣカードを収納した収納部の電磁波反射材が配設されていない側をリーダライタにかざすことで、任意の一枚の非接触ＩＣカードが動作可能になるため、複数枚の非接触ＩＣカードを収納した状態で、ユーザが任意の一枚の非接触ＩＣカードを選択し利用することができる収納ケースを提供できる。
【発明を実施するための最良の形態】
【００１３】
（第１の実施の形態）
ここから、本発明に係る収納ケースの第１の実施の形態について説明する。図１は、収納ケース１を説明する図である。図１（ａ）に示したように、収納ケース１の材質は、合成樹脂やプラスチップで、収納ケース１には、収納ケース１の内部空間を２つに区分する仕切り２によって、非接触ＩＣカードを収納する２つの収納部３が形成されている。
【００１４】
図２は、図１で示した収納ケース１の側面から見たときの断面図である。上述しているように、収納ケース１は、一つの仕切り２を有し、この仕切り２によって収納ケース１の内部空間が２つに区分され、非接触ＩＣカードを収納するための２つの収納部３が形成される。
【００１５】
収納ケース１の仕切り２の両側には、図外のリーダライタからの電磁波を反射する電磁波反射材２ａが配設されている。電磁波反射材２ａとしては、アルミニウムの金属箔を蒸着されたフィルムや、アルミニウムなどの金属粒子を含有したフィルムが好適である。なお、収納ケース１において、仕切り２以外にこの電磁波反射材２ａは配設されていない。
【００１６】
図３は、２枚の非接触ＩＣカードを収納したときの収納ケース１の斜視図である。図３に示したように、収納ケース１の収納部３には一枚の非接触ＩＣカード４がそれぞれ収納される。
【００１７】
図４は、２枚の非接触ＩＣカード４を収納したときの側面からの収納ケース１の断面図である。図４に示したように、図４の左側の収納部３に収納された非接触ＩＣカード４においては、左側には電磁波反射材２ａが存在しないため、左側からの電磁波によって動作可能であるが、右側には電磁波反射材２ａが存在するため、右側からの電磁波では動作しない。
【００１８】
また、図４の右側の収納部３に収納された非接触ＩＣカード４においては、右側には電磁波反射材２ａが存在しないため、右側からの電磁波によって動作可能であるが、左側には電磁波反射材２ａが存在するため、左側からの電磁波では動作しない。
【００１９】
すなわち、図４の左側の収納部３に収納された非接触ＩＣカード４を利用するときは、収納ケース１のＬ側の面を図外のリーダライタにかざし、更に、図４の右側の収納部３に収納された非接触ＩＣカード４を利用するときは、収納ケース１の向きを変え、収納ケース１のＲ側の面を図外のリーダライタにかざすことで、ユーザは収納ケース１に収納された２枚の非接触ＩＣカード４の中で、任意の一枚の非接触ＩＣカード４を選択し利用することができる。
【００２０】
（第２の実施の形態）
図５は、第２の実施の形態の収納ケース１０を説明するための図である。収納ケース１０は、図４で説明した電磁波反射材２ａが配設された仕切り２０によって形成される２つの収納部３０からなる収納部対１１を２対備え、２対の収納部対１１は収納ケース１０全体を二つ折り可能な状態で連結されている。
【００２１】
収納ケース１０では、最大で４枚の非接触ＩＣカードを収納でき、非接触ＩＣカードを収納した状態で、ユーザは、収納した非接触ＩＣカードのいずれかを選択して利用することができる。
【００２２】
図６は、収納ケース１０の上面図である。図６において仕切り２０は、２つの収納部対１１を連通し、収納ケース１０全体を二つ折り可能に連結する役割を果たすと共に、それぞれの収納部対１１においては、第１の実施の形態で説明した仕切り２の役割を果たしている。
【００２３】
図７は、収納ケース１０の利用方法を説明する図である。図７に示したように、収納ケース１０全体を二つ折りにし、２対の収納部対１１を重ねた状態で、収納ケース１０は利用される。
【００２４】
図７の状態で、収納ケース１０のＡの側をリーダライタにかざすと、（Ａ）が記述された収納部３０に収納された非接触ＩＣカードのみが利用可能になる。なぜなら、仕切り２０によって電磁波が遮断されるため、（Ａ）が記述された収納部３０以外の収納部３０に収納された非接触ＩＣカードは動作しない。
【００２５】
また、同様に、図７の状態で、収納ケース１０のＢの側をリーダライタにかざすと、（Ｂ）が記述された収納部３０に収納された非接触ＩＣカードのみが利用可能になる。更に、収納ケース１０の二つ折りの方向を変えることで、（Ｃ）または（Ｄ）が記述された収納部３０に収納された非接触ＩＣカードが利用可能になる。
【図面の簡単な説明】
【００２６】
【図１】第１の実施の形態に係る収納ケースを説明する図。
【図２】第１の実施の形態に係る収納ケースの断面図。
【図３】非接触ＩＣカードを収納したときの収納ケースの斜視図。
【図４】非接触ＩＣカードを収納したときの収納ケースの断面図。
【図５】第２の実施の形態に係る収納ケースを説明する図。
【図６】第２の実施の形態に係る収納ケースの上面図。
【図７】第２の実施の形態に係る収納ケースの利用方法を説明する図。
【符号の説明】
【００２７】
１、１０  収納ケース
１１  収納部対
２、２０  仕切り
２ａ  電磁波反射材
３、３０  収納部
４  非接触ＩＣカード
【図１】
2008065564.tif 000003
【図２】
2008065564.tif 000004
【図３】
2008065564.tif 000005
【図４】
2008065564.tif 000006
【図５】
2008065564.tif 000007
【図６】
2008065564.tif 000008
【図７】
2008065564.tif 000009